(57)【要約】      （修正有）【課題】大豆、松などの植物活性化脂肪酸および植物エキスを使用した多機能洗浄剤を、簡便に他の容器などに注ぎ、各種の洗浄に応じた濃度に薄められる蛇腹つきキャップ付容器を提供する。【解決手段】植物性多機能活性化洗浄剤原液を５倍から１０倍に希釈したものにシトラス系エッセンシャルオイルや針葉樹やユーカリなどの樹木の抽出エキスを配合することにより、元の希釈前の原液以上に洗浄力を持たせることができ、それを６倍から１，０００倍にまで希釈して使用できることにより、従来の安価な界面活性剤と同様な価格で、環境にも人にも安全な洗浄剤とその希釈に便利な液こぼれ防止のキャップ付き容器を構成する。【選択図】図３
0003153460.tif 000002
【実用新案登録請求の範囲】
【請求項１】
（イ）大豆、松などの植物活性化脂肪酸および植物エキスを使用した多機能洗浄剤を、
（ロ）使用時に、簡便に他の容器などに注ぎ各種の洗浄に応じた濃度に薄められる注ぎ口キャップ付き容器。
【請求項２】
上記、大豆油や松の実油、菜種油、コーン油、オリーブ油その他の不飽和脂肪酸の分子を大豆レシチンなどで高速に撹拌しながら分子を切り活性化状態にし、ブラウン運動が起きる微細なサイズの洗浄分子を形成してＰＨ調整を通して中性状態やアルカリ状態にし、高度な洗浄力と除菌、消臭、坑カビ、静電気防止など多機能な機能を持たせたものをベースとし、それにシトラス系オイルや樹木エキスを０．１〜０．９重量部を植物由来の界面活性剤３〜５重量部でベース洗浄剤に溶融させることにより洗浄力をより強力にした天然洗浄剤を入れる請求項１の注ぎ口キャップ付き容器。
【請求項３】
大型容器の場合、液漏れの無いように注ぎ口を付け、使用時にその蛇腹キャップを引き延ばし、注ぎやすい注ぎ口にして他の希釈するための容器に定量を注ぐことを特徴とする請求項１の注ぎ口キャップ付き容器。
【考案の詳細な説明】
【考案の詳細な説明】
【産業上の利用分野】
環境に良くアレルギー対応等人に優しい天然植物洗浄剤を低価格化することはこれからの課題と言えます。本考案は、純植物性油脂脂肪酸とレシチンを利用した活性水溶性洗浄剤にシトラス系や樹木エキスを配合することにより洗浄力を強力にし、水道水等で様々な汚れに応じて十分希釈して使用出来る低価格化希釈洗浄剤とそれを入れる注ぎ用蛇腹つき容器により使用時の簡便さを追求したものである。
【背景技術】一般的に低価格な洗浄剤の全ては合成界面活性剤で、環境汚染はもちろん人体にも深刻な弊害を誘発しておりその使用が規制されているのが実情である。
しかし、環境に良く人に優しい植物性非界面活性洗浄剤は、価格的にも可成り高価でまた洗浄力が弱いのが大半を占めている。
【考案が解決しようとする課題】
従って本考案が解決しようとする課題は、植物性非界面活性洗浄剤の洗浄力を従来の界面活性洗剤より上げることにより、数十倍から数百倍に希釈して使用出来ることにより、十分従来の界面活性剤と価格的な差違を無くすだけでなく、従来の界面活性剤では落とせなかった塗料、グリス、マニキュア等を落とすことの出来る洗浄剤を創り、それらを希釈し易くするための他の容器に移し易くした注ぎ口付きの容器を考案することである。
【課題を解決する為の手段】
大豆油や松の実油、コーン油、キャノーラー油などの脂肪酸とレシチンで作られる活性化水溶性洗浄剤は、界面活性洗浄を行わない洗浄で、環境に良く人にも優しい洗浄剤であるが、高価な素材を使用するため従来の界面活性剤に比べ価格的に高いのが欠点である。これを解決するためには、洗浄力を飛躍的に向上させ、十分希釈しても高い洗浄力を発揮させることが必要である。その実現には、植物脂肪酸の活性力を上げ少ない脂肪酸量で機能を発揮させるようにしなければならない。そこでシトラス系オイルや樹木エキスを０．２〜０．９重量部配合することにより、その目的を達成した。従って希釈のため他の容器に移すことを容易にする注ぎ口付きキャップ容器が必要となる。
【考案の作用】
本考案は、基本的にハ（イ）〜（ニ）の手段から成り立っている。
（イ）植物脂肪酸を活性化した活性水溶性洗浄剤に
（ロ）シトラス系エッセンシャルオイルや針葉樹系樹木エキスを配合し
（ハ）注ぎ口として蛇腹つきキャップを有する容器に入れて
（ニ）用途に応じて希釈する
本考案に於いて使用する植物脂肪酸を活性化させた水溶性洗浄剤は，大豆油、松の実油、パーム油、米ぬか油、トウモロコシ油、菜種油、オリーブ油、ベニハナ油、グレープシード油などの脂肪酸をレシチンで、高速回転撹拌装置で分子を切り活性化状態にし、α−トコフェロールで酸化を抑制し、乳化剤としてプロピレングリコールまたは１．３ブチレングリコールなどを配合し、安定化させた非イオン系水溶性コロイド洗浄源体を蒸留水で４〜４．５倍に希釈した微細脂肪酸分子を中性またはアルカリ性にＰＨ調整したものが水溶性洗浄剤原液となる。
この原液をさらに５倍〜１０倍に薄めて、シトラス系エッセンシャルオイルとしてオレンジオイル、ゲレープフルーツオイル、レモンオイル、シトロネラ、ベルガモット、レモン、マンダリン、ライム、レモングラスその他や樹木の抽出油としてユーカリ、ヒバ、サイプレス、ティートリー、ローズウッド、モミ、その他の抽出エキスを０．２〜０．９重量部を配合して、液漏れや液こぼれを防ぐために注ぎ口蛇腹付きの容器に封入する。
それを他の容器に定量分移して希釈する。
本考案に於いては、容器として、５Ｌから２０Ｌまでのポリプロピレン、ポリスチレン、ポリエチレン、ポリエチレンテレフタレート樹脂を使用した容器が考えられる。
【実施例１】松脂肪酸を４０重量部にレシチンを５重量部加え高速撹拌して活性化させ、それに乳化剤としてプロピレングリコールを５重量部、安定剤としてコカミドＤＥＡを５重量部、抗酸化剤としてα−トコフェロール２重量部、ＰＨ調整材として苛性ソーダーを０．５重量部加えた中間源体を蒸留水で５倍に希釈し、ライム油とユーカリ油をそれぞれ０．２重量部配合し、多機能低価格産業用水溶性洗浄剤を製作した。
洗浄力（６倍希釈で）・・・・・・・・＋２（他の洗浄剤に比べ非常に優れている）
除菌力（６倍〜１，０００倍希釈で）・・・・Ｏ−１５７、サルモネラ菌、黄色ブドウ状球菌、緑膿菌など９９．９％除菌、特にノロウイルスは数秒で９９．９％死滅する。
抗カビ力（６倍〜１，０００倍希釈で）・・代表的４系統のカビ菌で４週間発生しない。
生分解率・・・・・９９．９％
その他静電気防止など、また、松脂肪酸の防さび効果（２週間〜３週間）、ワックス効果（車洗浄剤として）
ヒバ油を０．５重量部加えると、ダニやゴキブリに対する忌避効果があり、厨房の床洗浄、フローリングの洗浄ワックス、オフィスや工場の除菌、消臭、防虫洗浄剤として、排水処理がそのまま流せるなど排水基準にも合致する。
【実施例２】大豆脂肪酸を４５重量部に大豆レシチンを５重量部加え高速撹拌して活性化させ、それに乳化剤として１．３ブチレングリコールを５重量部、ＰＨ調整材として苛性カリ０．５重量部加えた中間源体を蒸留水で１０倍に希釈し、レモン油、マスカット油、松の実油をそれぞれ０．５重量部配合し、多機能低価格家庭用水溶性洗浄剤を製作した。
洗浄力、除菌力、抗カビ力、コーティング力、生分解率は［実施例  １］と同様で、食器洗浄やキッチン周りの消臭・除菌・洗浄や食器洗浄機なども、界面活性洗浄をしないのと１，０００倍に薄めて浸け置き洗浄ができ、
野菜洗浄の場合、
残留農薬が９０％〜９８％抽出でき、鮮度保持力もある。
洗濯洗浄の場合、
綿、ウール、シルクが同時に洗え、柔軟剤不要ですすぎは１回で十分、抗カビ力が洗濯機のカビの発生を防ぎ、消臭抗カビ洗浄による部屋干しもできる。
その他、入浴剤、ガラスクリーナー、トイレ・バス洗浄、クレンジング、洗顔、シャンプー、口内消臭・殺菌洗浄剤、その他、環境にも健康にも優れた多機能洗浄剤となる。
もちろん、大豆脂肪酸なので、口に入っても全く問題ない。
【図面の簡単な説明】  １、中側蛇腹キャップである。
２、蛇腹キャップを包括する外部カバーキャップである。
３、完成図である。
４、使用時の外観である。
【図１】
0003153460.tif 000003
【図２】
0003153460.tif 000004
【図３】
0003153460.tif 000005
【図４】
0003153460.tif 000006
【手続補正書】
【提出日】平成21年4月2日(2009.4.2)
【手続補正１】
【補正対象書類名】実用新案登録請求の範囲
【補正対象項目名】全文
【補正方法】変更
【補正の内容】
【実用新案登録請求の範囲】
【請求項１】
（イ）大豆、松などの植物活性化脂肪酸および植物エキスを使用した多機能洗浄剤を、（ロ）使用時に、簡便に他の容器などに注ぎ各種の洗浄に応じた濃度に薄められる蛇腹つきキャップ容器。
【請求項２】
上記、大豆油や松の実油、菜種油、コーン油、オリーブ油その他の不飽和脂肪酸の分子を大豆レシチンなどで高速に撹拌しながら分子を切り活性化状態にし、ブラウン運動が起きる微細なサイズの洗浄分子を形成してＰＨ調整を通して中性状態やアルカリ状態にし、高度な洗浄力と除菌、消臭、坑カビ、静電気防止など多機能な機能を持たせたものをベースとし、それにシトラス系オイルや樹木エキスを０．１〜０．９重量部を植物由来の界面活性剤３〜５重量部でベース洗浄剤に溶融させることにより洗浄力をより強力にした天然洗浄剤を入れる請求項１の蛇腹つきキャップ容器。
【請求項３】
大型容器の場合、液漏れの無いように注ぎ口を付け、使用時にその蛇腹キャップを引き延ばし、注ぎやすい注ぎ口にして他の希釈するための容器に定量を注ぐことを特徴とする請求項１の蛇腹つきキャップ容器。
【手続補正２】
【補正対象書類名】明細書
【補正対象項目名】全文
【補正方法】変更
【補正の内容】
【考案の詳細な説明】
【考案の詳細な説明】
【産業上の利用分野】
環境に良くアレルギー対応等人に優しい天然植物洗浄剤を低価格化することはこれからの課題と言えます。本考案は、純植物性油脂脂肪酸とレシチンを利用した活性水溶性洗浄剤にシトラス系や樹木エキスを配合することにより洗浄力を強力にし、水道水等で様々な汚れに応じて十分希釈して使用出来る低価格化希釈洗浄剤とそれを入れる注ぎ用蛇腹つきキャップ容器により使用時の簡便さを追求したものである。
【背景技術】一般的に低価格な洗浄剤の全ては合成界面活性剤で、環境汚染はもちろん人体にも深刻な弊害を誘発しておりその使用が規制されているのが実情である。しかし、環境に良く人に優しい植物性非界面活性洗浄剤は、価格的にも可成り高価でまた洗浄力が弱いのが大半を占めている。
【考案が解決しようとする課題】
従って本考案が解決しようとする課題は、植物性非界面活性洗浄剤の洗浄力を従来の界面活性洗剤より上げることにより、数十倍から数百倍に希釈して使用出来ることにより、十分従来の界面活性剤と価格的な差違を無くすだけでなく、従来の界面活性剤では落とせなかった塗料、グリス、マニキュア等を落とすことの出来る洗浄剤を創り、それらを希釈し易くするための他の容器に移し易くした注ぎ口付きの容器を考案することである。
【課題を解決する為の手段】
大豆油や松の実油、コーン油、キャノーラー油などの脂肪酸とレシチンで作られる活性化水溶性洗浄剤は、界面活性洗浄を行わない洗浄で、環境に良く人にも優しい洗浄剤であるが、高価な素材を使用するため従来の界面活性剤に比べ価格的に高いのが欠点である。これを解決するためには、洗浄力を飛躍的に向上させ、十分希釈しても高い洗浄力を発揮させることが必要である。その実現には、植物脂肪酸の活性力を上げ少ない脂肪酸量で機能を発揮させるようにしなければならない。そこでシトラス系オイルや樹木エキスを０．２〜０．９重量部配合することにより、その目的を達成した。従って希釈のため他の容器に移すことを容易にする蛇腹つきキャップ容器が必要となる。
【考案の作用】
本考案は、基本的にハ（イ）〜（ニ）の手段から成り立っている。（イ）植物脂肪酸を活性化した活性水溶性洗浄剤に（ロ）シトラス系エッセンシャルオイルや針葉樹系樹木エキスを配合し（ハ）注ぎ口として蛇腹つきキャップを有する容器に入れて（ニ）用途に応じて希釈する本考案に於いて使用する植物脂肪酸を活性化させた水溶性洗浄剤は，大豆油、松の実油、パーム油、米ぬか油、トウモロコシ油、菜種油、オリーブ油、ベニハナ油、グレープシード油などの脂肪酸をレシチンで、高速回転撹拌装置で分子を切り活性化状態にし、α−トコフェロールで酸化を抑制し、乳化剤としてプロピレングリコールまたは１．３ブチレングリコールなどを配合し、安定化させた非イオン系水溶性コロイド洗浄源体を蒸留水で４〜４．５倍に希釈した微細脂肪酸分子を中性またはアルカリ性にＰＨ調整したものが水溶性洗浄剤原液となる。この原液をさらに５倍〜１０倍に薄めて、シトラス系エッセンシャルオイルとしてオレンジオイル、ゲレープフルーツオイル、レモンオイル、シトロネラ、ベルガモット、レモン、マンダリン、ライム、レモングラスその他や樹木の抽出油としてユーカリ、ヒバ、サイプレス、ティートリー、ローズウッド、モミ、その他の抽出エキスを０．２〜０．９重量部を配合して、液漏れや液こぼれを防ぐために蛇腹つきキャップ容器に封入する。それを他の容器に定量分移して希釈する。本考案に於いては、容器として、５Ｌから２０Ｌまでのポリプロピレン、ポリスチレン、ポリエチレン、ポリエチレンテレフタレート樹脂を使用した容器が考えられる。
【実施例１】松脂肪酸を４０重量部にレシチンを５重量部加え高速撹拌して活性化させ、それに乳化剤としてプロピレングリコールを５重量部、安定剤としてコカミドＤＥＡを５重量部、抗酸化剤としてα−トコフェロール２重量部、ＰＨ調整材として苛性ソーダーを０．５重量部加えた中間源体を蒸留水で５倍に希釈し、ライム油とユーカリ油をそれぞれ０．２重量部配合し、多機能低価格産業用水溶性洗浄剤を製作した。洗浄力（６倍希釈で）・・・・・・・・＋２（他の洗浄剤に比べ非常に優れている）除菌力（６倍〜１，０００倍希釈で）・・・・Ｏ−１５７、サルモネラ菌、黄色ブドウ状球菌、緑膿菌など９９．９％除菌、特にノロウイルスは数秒で９９．９％死滅する。抗カビ力（６倍〜１，０００倍希釈で）・・代表的４系統のカビ菌で４週間発生しない。生分解率・・・・・９９．９％その他静電気防止など、また、松脂肪酸の防さび効果（２週間〜３週間）、ワックス効果（車洗浄剤として）ヒバ油を０．５重量部加えると、ダニやゴキブリに対する忌避効果があり、厨房の床洗浄、フローリングの洗浄ワックス、オフィスや工場の除菌、消臭、防虫洗浄剤として、排水処理がそのまま流せるなど排水基準にも合致する。
【実施例２】大豆脂肪酸を４５重量部に大豆レシチンを５重量部加え高速撹拌して活性化させ、それに乳化剤として１．３ブチレングリコールを５重量部、ＰＨ調整材として苛性カリ０．５重量部加えた中間源体を蒸留水で１０倍に希釈し、レモン油、マスカット油、松の実油をそれぞれ０．５重量部配合し、多機能低価格家庭用水溶性洗浄剤を製作した。洗浄力、除菌力、抗カビ力、コーティング力、生分解率は［実施例  １］と同様で、食器洗浄やキッチン周りの消臭・除菌・洗浄や食器洗浄機なども、界面活性洗浄をしないのと１，０００倍に薄めて浸け置き洗浄ができ、野菜洗浄の場合、残留農薬が９０％〜９８％抽出でき、鮮度保持力もある。洗濯洗浄の場合、綿、ウール、シルクが同時に洗え、柔軟剤不要ですすぎは１回で十分、抗カビ力が洗濯機のカビの発生を防ぎ、消臭抗カビ洗浄による部屋干しもできる。その他、入浴剤、ガラスクリーナー、トイレ・バス洗浄、クレンジング、洗顔、シャンプー、口内消臭・殺菌洗浄剤、その他、環境にも健康にも優れた多機能洗浄剤となる。もちろん、大豆脂肪酸なので、口に入っても全く問題ない。
【図面の簡単な説明】
【図１】中側蛇腹つきキャップである。
【図２】蛇腹つきキャップを包括する外部カバーキャップである。
【図３】完成図である。
【図４】使用時の外観である。
【手続補正書】
【提出日】平成21年6月14日(2009.6.14)
【手続補正１】
【補正対象書類名】実用新案登録請求の範囲
【補正対象項目名】全文
【補正方法】変更
【補正の内容】
【実用新案登録請求の範囲】
【請求項１】
（イ）大豆、松などの植物活性化脂肪酸および植物エキスを使用した多機能洗浄剤を、
（ロ）使用時に、簡便に他の容器などに注ぎ各種の洗浄に応じた濃度に薄められる蛇腹つきキャップ付き容器。
【請求項２】
上記、大豆油や松の実油、菜種油、コーン油、オリーブ油その他の不飽和脂肪酸の分子を大豆レシチンなどで高速に撹拌しながら分子を切り活性化状態にし、ブラウン運動が起きる微細なサイズの洗浄分子を形成してＰＨ調整を通して中性状態やアルカリ状態にし、高度な洗浄力と除菌、消臭、坑カビ、静電気防止など多機能な機能を持たせたものをベースとし、それにシトラス系オイルや樹木エキスを０．１〜０．９重量部を植物由来の界面活性剤３〜５重量部でベース洗浄剤に溶融させることにより洗浄力をより強力にした天然洗浄剤を入れる請求項１の蛇腹つきキャップ付き容器。
【請求項３】
大型容器の場合、液漏れの無いように注ぎ口を付け、使用時にその蛇腹キャップを引き延ばし、注ぎやすい注ぎ口にして他の希釈するための容器に定量を注ぐことを特徴とする請求項１の蛇腹つきキャップ付き容器。